(57)【要約】【課題】鋼管からなる太い柱であっても、溶接を用いずに、衝撃による損傷を生じることなく容易に装着することができるラス材支持具及びこれを使用する吹付け被覆材の施工方法を提供する。【解決手段】取付金具１１０のベース部１１１を柱１０に仮固定する金具仮固定工程と、柱１０に仮固定された取付金具１１０の突出部１１２に繋止バンド１２０を通して柱１０に巻き付けた後、繋止バンド１２０を締結具１３０で柱１０に締結するバンド締結工程と、支持棒１４０の先端を壁２０に隣接させるように取付金具１１０の突出部１１２に支持棒１４０の基端側を差し込んで支持棒１４０を取付金具１１０に取り付ける支持棒取付工程と、柱１０と壁２０との間を繋ぐように支持棒１４０にラス材１９０を取り付けるラス材支持工程と、耐火被覆材３０の耐火材料をラス材１９０及び柱１０へ吹付ける吹付け工程とを行う。【選択図】図７
2020165210.tif 000002
【特許請求の範囲】
【請求項１】
鋼管からなる柱と壁との間を繋ぐように金網からなるラス材を当該間に取り付けるラス材支持具であって、
前記ラス材を支持する支持棒と、
前記柱に取り付けられて前記支持棒を保持する取付金具と、
前記柱に巻き付けられて前記取付金具を縛り付ける繋止バンドと、
前記繋止バンドを前記柱に締結する締結具と
を備えていることを特徴とするラス材支持具。
【請求項２】
請求項１に記載のラス材支持具であって、
前記取付金具が、
板状のベース部と、
前記ベース部に突設されて前記繋止バンド及び前記支持棒を通過させると共に当該支持棒を挟持する突出部と
を備えていることを特徴とするラス材支持具。
【請求項３】
請求項２に記載のラス材支持具であって、
前記柱が角形鋼管からなり、
前記取付金具の前記ベース部が、前記柱の角部に沿うように曲折する曲折部を有しているものである
ことを特徴とするラス材支持具。
【請求項４】
請求項２又は請求項３に記載のラス材支持具を使用して前記柱と前記壁との間及び当該柱に吹付け被覆材を施工する吹付け被覆材の施工方法であって、
前記取付金具の前記ベース部を前記柱に仮固定する金具仮固定工程と、
前記柱に仮固定された前記取付金具の前記突出部に前記繋止バンドを通して当該柱に巻き付けた後、当該繋止バンドを前記締結具で当該柱に締結するバンド締結工程と、
前記支持棒の先端を前記壁に隣接させるように前記取付金具の前記突出部に当該支持棒の基端側を差し込んで当該支持棒を当該取付金具に取り付ける支持棒取付工程と、
前記柱と前記壁との間を繋ぐように前記支持棒に前記ラス材を取り付けるラス材支持工程と、
前記吹付け被覆材の吹付け材料を前記ラス材及び前記柱へ吹付ける吹付け工程と
を行うことを特徴とする吹付け被覆材の施工方法。
【請求項５】
請求項４に記載の吹付け被覆材の施工方法であって、
前記支持棒へ加わる前記吹付け材料の吹付け方向の応力に抗するように当該支持棒の先端側をバックアップするバックアップ材を前記壁に取り付けるバックアップ材取付工程を行う
ことを特徴とする吹付け被覆材の施工方法。
【発明の詳細な説明】
【技術分野】
【０００１】
本発明は、鋼管からなる柱と壁との間を繋ぐように金網からなるラス材を当該間に取り付けるラス材支持具及びこれを使用して当該間及び当該柱に耐火被覆材や断熱被覆材等の吹付け被覆材を施工する吹付け被覆材の施工方法に関する。
【背景技術】
【０００２】
鉄骨からなる柱を有する建設物は、火災発生時の耐火性能を担保することを目的として、当該柱の表面に耐火被覆材が設けられている。この耐火被覆材は、例えば、ロックウール等の無機繊維及びセメントスラリー等の無機バインダー等の吹付け材料を柱の表面に一緒に吹付けることにより容易に設けることができる。
【０００３】
このような建設物では、柱と壁との間に５００ｍｍ以下の比較的狭い隙間がある場合、壁と対向する柱の面に耐火被覆材を設けることが困難であるため、柱と壁との間を繋ぐように当該間に金網からなるラス材を設け、当該ラス材に上記無機繊維及び上記無機バインダー等の吹付け材料を一緒に吹付けることにより、当該間及び当該柱の周囲を耐火被覆材で囲むようにしている（合成耐火構造）。
【０００４】
このような合成耐火構造においては、柱と壁との間を橋渡すように金属製の丸棒からなる支持材の基端側を柱に溶接固定して、当該支持材に前記ラス材を取り付けることにより、当該間に当該ラス材を設けるようにしているものの（例えば、下記特許文献１参照）、溶接によって、構造部材である柱にダメージが加わってしまい、好ましくないことから、無溶接工法の開発が強く望まれている。
【０００５】
そのため、例えば、下記特許文献２においては、Ｈ形鋼からなる柱にコ字形の取付部を介して支持腕を取り付けるようにした下地金具を提案しているが、角形鋼管からなる柱に取り付けることはできなかった。
【０００６】
そこで、例えば、下記特許文献３では、支持材を保持する取付具を水ガラス系の接着剤によって角形鋼管の柱に取り付けることを提案している。また、下記特許文献４では、金属製の丸棒からなる支持材に一対の板状の取付具を設け、当該取付具で角形鋼管の柱をクランプするように挟持することにより、当該支持材を柱に取り付けることを提案している。また、下記特許文献５では、金網からなるラス材を柱や壁に対してタッピンネジやステープル等で座金や添え板等を介して接合することを提案している。
【先行技術文献】
【特許文献】
【０００７】
【特許文献１】実用新案登録第２５２５０５０号公報
【特許文献２】実開平５−０９２３２１号公報
【特許文献３】実開平６−００１５１４号公報
【特許文献４】特開平１１−２６４２０４号公報
【特許文献５】特開２０１６−１９６７８７号公報
【特許文献６】特開平９−１４９５３２号公報
【発明の概要】
【発明が解決しようとする課題】
【０００８】
しかしながら、前記特許文献３で提案されている手段では、地震等によって衝撃が加わると、水ガラス系の接着剤が損傷して、取付具が外れてしまうおそれがあった。また、前記特許文献４で提案されている手段では、柱が太くなると、クランプして挟持することが困難になってしまっていた。また、前記特許文献５で提案されている手段では、タッピンネジやステープル等でラス材を柱や壁に直接的に取り付けるため、各種工具を使用しなければならず、取付作業に手間がかかってしまっていた。
【０００９】
このような問題は、前述したような合成耐火構造に限らず、例えば、断熱構造を必要とする建設物において、壁と柱との間を繋ぐように当該間に金網からなるラス材を設け、当該ラス材に繊維材料及びバインダー等の吹付け材料を吹付けることにより、当該間及び当該柱の周囲を断熱被覆材で囲む場合等のように、ラス材に吹付け被覆材を施工する場合であれば、同様にして生じ得ることであった。
【００１０】
このようなことから、本発明は、鋼管からなる太い柱であっても、溶接を用いずに、衝撃による損傷を生じさせることなく容易に装着することができるラス材支持具及びこれを使用する吹付け被覆材の施工方法を提供することを目的とする。
【課題を解決するための手段】
【００１１】
前述した課題を解決するための、本発明に係るラス材支持具は、鋼管からなる柱と壁との間を繋ぐように金網からなるラス材を当該間に取り付けるラス材支持具であって、前記ラス材を支持する支持棒と、前記柱に取り付けられて前記支持棒を保持する取付金具と、前記柱に巻き付けられて前記取付金具を縛り付ける繋止バンドと、前記繋止バンドを前記柱に締結する締結具とを備えていることを特徴とする。
【００１２】
また、本発明に係るラス材支持具は、上述したラス材支持具において、前記取付金具が、板状のベース部と、前記ベース部に突設されて前記繋止バンド及び前記支持棒を通過させると共に当該支持棒を挟持する突出部とを備えていると好適である。
【００１３】
また、本発明に係るラス材支持具は、上述したラス材支持具において、前記柱が角形鋼管からなり、前記取付金具の前記ベース部が、前記柱の角部に沿うように曲折する曲折部を有しているものであると好適である。
【００１４】
他方、前述した課題を解決するための、本発明に係る吹付け被覆材の施工方法は、上述したラス材支持具を使用して前記柱と前記壁との間及び当該柱に吹付け被覆材を施工する吹付け被覆材の施工方法であって、前記取付金具の前記ベース部を前記柱に仮固定する金具仮固定工程と、前記柱に仮固定された前記取付金具の前記突出部に前記繋止バンドを通して当該柱に巻き付けた後、当該繋止バンドを前記締結具で当該柱に締結するバンド締結工程と、前記支持棒の先端を前記壁に隣接させるように前記取付金具の前記突出部に当該支持棒の基端側を差し込んで当該支持棒を当該取付金具に取り付ける支持棒取付工程と、前記柱と前記壁との間を繋ぐように前記支持棒に前記ラス材を取り付けるラス材支持工程と、前記吹付け被覆材の吹付け材料を前記ラス材及び前記柱へ吹付ける吹付け工程とを行うことを特徴とする。
【００１５】
また、本発明に係る吹付け被覆材の施工方法は、上述した吹付け被覆材の施工方法において、前記支持棒へ加わる前記吹付け材料の吹付け方向の応力に抗するように当該支持棒の先端側をバックアップするバックアップ材を前記壁に取り付けるバックアップ材取付工程を行うと好適である。特に、合成耐火構造の場合、上記バックアップ材は、火災時に、吹付け被覆材である耐火被覆材と外壁材との取合い部からの熱の侵入も防止できるようになるため、非常に有効である。
【発明の効果】
【００１６】
本発明によれば、取付金具を柱に仮固定し、繋止バンドで取付金具を柱に縛り付けて締結具で繋止バンドを締結することにより、取付金具を柱に固定した後、取付金具に支持棒を取り付けて、支持棒にラス材を取り付けることができるので、鋼管からなる太い柱であっても、溶接を用いずに、衝撃による損傷を生じることなく容易に装着することができる。
【図面の簡単な説明】
【００１７】
【図１】本発明に係るラス材支持具の主な実施形態の概略図である。
【図２】図１のラス材支持具を使用する吹付け被覆材の施工方法の主な実施形態の手順説明図である。
【図３】図２に続く手順説明図である。
【図４】図３に続く手順説明図である。
【図５】図４に続く手順説明図である。
【図６】図５に続く手順説明図である。
【図７】図６に続く手順説明図である。
【発明を実施するための形態】
【００１８】
本発明に係るラス材支持具及びこれを使用する吹付け被覆材の施工方法の実施形態を図面に基づいて説明するが、本発明は図面に基づいて説明する以下の実施形態のみに限定されるものではない。
【００１９】
〈主な実施形態〉
本発明に係るラス材支持具及びこれを使用する吹付け被覆材の施工方法の主な実施形態を図１〜７に基づいて説明する。
【００２０】
図１，２に示すように、角形鋼管からなる柱１０と壁２０との間を繋ぐように金網からなるラス材を当該間に取り付ける本実施形態に係るラス材支持具は、ラス材を支持する支持棒１４０（図１Ｃ参照）と、柱１０に取り付けられて支持棒１４０を保持する取付金具１１０（図１Ａ参照）と、柱１０に巻き付けられて取付金具１１０を縛り付ける繋止バンド１２０（図１Ｂ参照）と、繋止バンド１２０を柱１０に締結する締結具１３０（図１Ｂ参照）とを備えている。
【００２１】
前記取付金具１１０は、板状のベース部１１１と、ベース部１１１の表面に突設されて繋止バンド１２０及び支持棒１４０を通過させると共に当該支持棒１４０を挟持するアーチ型の突出部１１２とを備えており、ベース部１１１が、柱１０の角部１１に沿うように曲折する曲折部１１３を有している。
【００２２】
前記繋止バンド１２０は、長手方向で自由に屈曲可能なステンレス等の金属からなる帯状体であり、柱１０を周方向に巻き回しするのに必要十分な長さを有すると共に、取付金具１１０の突出部１１２内を通過して当該取付金具１１０を柱１０に押さえ付けるのに必要十分な幅を有している。
【００２３】
前記締結具１３０は、繋止バンド１２０の一端側が内部に巻き付けられると共に、繋止バンド１２０の他端側が内部に挿入され、作業者がレバーを回動させることにより、当該繋止バンド１２０を巻き取ってその状態を維持できるラチェット機構を有することにより、当該繋止バンド１２０を柱１０に締結することができる手動式となっており、例えば、前記特許文献６に記載の「緊縛具」を利用することができる。
【００２４】
前記支持棒１４０は、金属からなる中実丸棒であり、柱１０と壁２０との間を繋ぐのに必要十分な長さを有すると共に、取付金具１１０の突出部１１２内に差し込み保持されてラス材や吹付け被覆材を保持するのに必要十分な直径サイズを有している。
【００２５】
このようなラス材支持具を使用して柱１０と壁２０との間に吹付け被覆材を施工する本実施形態に係る吹付け被覆材の施工方法を次に説明する。
【００２６】
まず、取付金具１１０のベース部１１１の裏面に両面粘着テープを貼り付けて、壁２０と対向する柱１０の両側の角部１１に当該取付金具１１０の曲折部１１３を合わせるように当該取付金具１１０の上記ベース部１１１を柱１０の規定の高さ位置ごと（本実施形態では３か所）に貼り付けることにより、当該取付金具１１０を柱１０の角部１１に仮固定する（金具仮固定工程：図３）。
【００２７】
次に、柱１０に仮固定した取付金具１１０の突出部１１２に繋止バンド１２０を通して柱１０に巻き付けた後、当該繋止バンド１２０の一端側を締結具１３０の内部に巻き付けると共に、当該繋止バンド１２０の他端側を締結具１３０の内部に挿入して、レバーを回動させると、当該締結具１３０が、上記繋止バンド１２０で柱１０を締め付けるように当該繋止バンド１２０を巻き取って締結することにより、上記取付金具１１０が柱１０の角部１１に縛り付けられて本固定される（バンド締結工程：図４）。
【００２８】
続いて、支持棒１４０の先端を壁２０に隣接させるように取付金具１１０の突出部１１２に支持棒１４０の基端側を差し込んで当該支持棒１４０を当該取付金具１１０に挟持させて固定保持させる（支持棒取付工程：図５）。
【００２９】
そして、支持棒１４０へ加わる吹付け被覆材の吹付け方向の応力に抗するように支持棒１４０の先端側をバックアップするロックウール等からなる角柱形のバックアップ材１８０を耐熱性の接着剤等によって壁２０に取り付けた後（バックアップ材取付工程：図６）、金網からなるラス材１９０を支持棒１４０に針金等で縛り付けることにより、当該ラス材１９０で柱１０と壁２０との間を繋ぐように支持棒１４０にラス材１９０を取り付ける（ラス材支持工程：図６）。
【００３０】
最後に、ロックウール等の無機繊維及びセメントスラリー等の無機バインダー等からなる吹付け材料である耐火材料を柱１０の外周面と共にラス材１９０へ吹付けることにより、柱１０の周囲及びラス材１９０を吹付け被覆材である耐火被覆材３０で被覆する（吹付け工程：図７）。
【００３１】
つまり、本実施形態に係るラス材支持具は、支持棒１４０を保持する取付金具１１０を繋止バンド１２０で柱１０に押え付けて締結具１３０によって当該繋止バンド１２０を締結することにより、取付金具１１０を柱１０に固定するようにしたのである。
【００３２】
このため、本実施形態に係るラス材支持具においては、柱１０が太くても、それに対応した長さを有する繋止バンド１２０を使用するだけで取付金具１１０を柱１０に何ら問題なく固定することができる。また、地震等によって衝撃が加わっても、繋止バンド１２０が損傷することはなく、取付金具１１０が柱１０から外れてしまうことを防止することができる。また、支持棒１４０を柱１０に手作業だけで固定することができるので、各種工具を使用することなく支持棒１４０にラス材１９０を取り付けることができる。
【００３３】
したがって、本実施形態に係るラス材支持具によれば、角形鋼管からなる太い柱１０であっても、溶接を用いずに、衝撃による損傷を生じることなく容易に装着することができる。
【００３４】
また、取付金具１１０のベース部１１１に曲折部１１３を設けたことから、柱１０の角部１１に曲折部１１３を合わせるようにベース部１１１を取り付けることにより、取付金具１１０の水平方向のずれを確実に防止することができる。
【００３５】
〈他の実施形態〉
なお、前述した実施形態においては、取付金具１１０のベース部１１１の裏面に両面粘着テープを貼り付けることにより、当該取付金具１１０を柱１０に仮固定するようにしたが、他の実施形態として、例えば、両面粘着テープに代えて、瞬間接着剤を用いて仮固定したり、取付金具１１０のベース部１１１の表面側から柱１０に粘着テープを貼り付けて仮固定したり、粘着テープとマグネットシートとを組み合わせたものを用いることにより、取付金具１１０の高さ等の位置を微調整できるように仮固定したりすることも可能である。
【００３６】
また、前述した実施形態においては、取付金具１１０のベース部１１１に曲折部１１３を設けて、柱１０の角部１１に曲折部１１３を合わせるようにして取付金具１１０を装着するようにしたが、他の実施形態として、例えば、柱１０の角部１１の曲率と異なる曲率の曲折部をベース部に設けた取付金具や、曲折部を省略した平坦な板状のベース部をなす取付金具を適用して、前記繋止バンド１２０を前記締結具１３０で締め付けたときに、当該柱１０の当該角部１１に沿って当該取付金具の当該ベース部を密接させるように変形させて本固定することも可能である。
【００３７】
さらには、例えば、曲折部１１３を省略した平坦な板状のベース部をなす取付金具を柱１０の平面部に装着するようにすることも可能である。
【００３８】
しかしながら、前述した実施形態のように、取付金具１１０のベース部１１１に曲折部１１３を設けて、柱１０の角部１１に曲折部１１３を合わせるようにベース部１１１を取り付けるようにすれば、取付金具１１０の水平方向のずれを確実に防止することができるので、非常に好ましい。
【００３９】
また、前述した実施形態においては、角形鋼管からなる柱１０に対して支持棒１４０を取り付ける場合について説明したが、他の実施形態として、例えば、丸形鋼管からなる柱に対して支持棒１４０を取り付ける場合であっても、取付金具のベース部を当該柱の外周面に沿って曲折するようにすれば、前述した実施形態の場合と同様にして実施することができる。
【００４０】
また、前述した実施形態においては、中実丸棒の支持棒１４０を適用した場合について説明したが、他の実施形態として、例えば、中実角棒、丸パイプ、角パイプ等を始めとして、必要な荷重を支承できる断面形状を有する支持棒であれば、前述した実施形態の場合と同様に適用可能である。
【００４１】
また、前述した実施形態においては、アーチ型の突出部１１２を有する取付金具１１０を適用した場合について説明したが、本発明はこれに限らず、繋止バンド１２０及び支持棒１４０の形状に対応して当該繋止バンド１２０及び当該支持棒１４０を通過させると共に当該支持棒１４０を挟持することができる形状（例えば、フック型やクランプ型等）の突出部を有する取付金具であれば、前述した実施形態の場合と同様な作用効果を得ることができる。
【００４２】
このとき、フック型やクランプ型等のように切欠きを形成された突出部を有する取付金具であれば、例えば、繋止バンド１２０を柱１０に巻き付けて締結具１３０で一旦仮止めした後、前記取付金具の前記突出部内に上記繋止バンド１２０を介在させるように前記切欠きに当該繋止バンド１２０を通過させて、当該取付金具を柱１０と繋止バンド１２０との間に位置させるように挟み込んでから、当該緊締バンド１２０を前記締結具１３０でさらに締め付けて本固定した後に、当該取付金具の当該突出部に支持棒１４０を固定保持させるようにすることも可能である。
【００４３】
また、前述した実施形態においては、吹付け材料として耐火材料を使用することにより、吹付け被覆材として耐火被覆材３０を施工した場合について説明したが、本発明はこれに限らず、他の実施形態として、例えば、吹付け材料として断熱材料を使用することにより、吹付け被覆材として断熱被覆材を施工することも可能である。
【００４４】
このような耐火材料としては、ロックウールやセラミックウール等の無機繊維、セメントスラリーや水ガラス等の無機バインダー等が挙げられ、当該無機繊維と当該無機バインダーとを一緒に吹付けることにより、耐火被覆材を容易に施工することができる。特に、ロックウールとセメントスラリーとを組み合わせた耐火材料であると、耐火被覆材の施工性やコスト性が優れ、非常に好適である。
【００４５】
他方、断熱材料としては、上記無機繊維を始めとしたグラスウールやセルロースパルプ等の繊維材料、上記無機バインダーを始めとした樹脂エマルジョン等のバインダー、発泡ウレタン等が挙げられ、当該繊維材料と当該バインダーとを一緒に吹付けたり、発泡ウレタンを吹付けたりすることにより、断熱被覆材を容易に施工することができる。
【産業上の利用可能性】
【００４６】
本発明に係るラス材支持具及びこれを使用する吹付け被覆材の施工方法は、鋼管からなる太い柱であっても、溶接を用いずに、衝撃による損傷を生じることなく容易に装着することができるので、建設産業において、極めて有益に利用することができる。
【符号の説明】
【００４７】
１０  柱
１１  角部
２０  壁
３０  耐火被覆材
１１０  取付金具
１１１  ベース部
１１２  突出部
１１３  曲折部
１２０  繋止バンド
１３０  締結具
１４０  支持棒
１８０  バックアップ材
１９０  ラス材
【図１】
2020165210.tif 000003
【図２】
2020165210.tif 000004
【図３】
2020165210.tif 000005
【図４】
2020165210.tif 000006
【図５】
2020165210.tif 000007
【図６】
2020165210.tif 000008
【図７】
2020165210.tif 000009